(57)【要約】      （修正有）【課題】椅子の美観を確保することが可能であり、なお且つ従来のものより強度及び耐久性にも優れた背カバーの取付構造を有する椅子の及び椅子の背カバーを提供する。【解決手段】背もたれ３に取り付けて張り地を形成する背カバーＣを、カバー本体６とこのカバー本体６の内側に取り付けられる板状体７とから構成し、カバー本体６が、クッション材６３を入れる空間を内部に形成する前カバー６１及び後カバー６２と、背もたれ３の上端部側に被せて収容可能な袋状の収容部６Ｓとを備えたものであり、板状体７が、収容部６Ｓ内に取り付けられるものであり、収容部６Ｓが、下方にのみ開口するものであり、且つ背もたれ３の上端部側に被せた状態において、クッション材６３を入れる空間よりも後方に配されるようにした。【選択図】図６
2010110637.tif 000002
【特許請求の範囲】
【請求項１】
椅子本体を構成する背もたれに背カバーを張り設けるようにした椅子であって、
前記背カバーが、カバー本体と当該カバー本体の内側に取り付けられる板状体とを備えたものであり、
前記カバー本体が、クッション材を入れる空間を内部に形成する前カバー及び後カバーと、前記背もたれの上端部側に被せて収容可能な袋状の収容部とを備えたものであり、
前記板状体が、前記収容部内に取り付けられるものであり、
前記収容部が、下方にのみ開口するものであり、且つ背もたれの上端部側に被せた状態において、前記クッション材を入れる空間よりも後方に配されるものであることを特徴とする椅子。
【請求項２】
前記板状体が、その幅方向に沿って前記収容部の開口近傍に縫製されたものであり、
板状体の下端部を包むように背カバーを折り返した状態で縫製している請求項１記載の椅子。
【請求項３】
前記背凭れに前記背カバーを被せた際に、前記板状体が前記背凭れの湾曲形状に沿って撓み変形し、前記カバー本体が板状体によってバックアップされる請求項１又は２記載の椅子。
【請求項４】
前記板状体が、前記収容部の略全域に亘る大きさである請求項１、２又は３記載の椅子。
【請求項５】
前記背もたれの上端部に前記背カバーを取り付けた際に、前記板状体が前記背もたれの背面側に位置し、前記背もたれを挟んで前面側にクッション材が位置し、前記袋状部がこれらクッション材及び背もたれの上端部を被覆する請求項１、２、３又は４記載の椅子。
【請求項６】
椅子本体の背もたれに取り付けられて張り地を形成する背カバーであって、
カバー本体と、このカバー本体の内面に取り付けられた板状体とを備えてなり、
前記カバー本体が、クッション材を入れる空間を内部に形成する前カバー及び後カバーと、前記背もたれの上端部側に被せて収容可能な袋状の収容部とを備えたものであり、
前記板状体が、前記収容部内に取り付けられるものであり、
前記収容部が、下方にのみ開口するものであり、且つ背もたれの上端部側に被せた状態において、前記クッション材を入れる空間よりも後方に配されるものであることを特徴とする背カバー。
【発明の詳細な説明】
【技術分野】
【０００１】
本発明は、椅子本体の背もたれに背カバーを張り設けている椅子及び椅子の背カバーに関するものである。
【背景技術】
【０００２】
従来、椅子の背もたれには、着座時の接触感を向上させるとともに背もたれを被覆して外観を整えるために、張り地を形成するカバーを装着する場合が少なくない。
【０００３】
そして、このカバーを取り付ける手法としては、従来より背カバーを直接背もたれに対してタッカ止めしたり、背カバーに孔等を設けてこの孔に通したピンを背もたれに形成した孔に対して止めるようなものがよく知られている。
【発明の概要】
【発明が解決しようとする課題】
【０００４】
しかしながら、このようなものであると、タッカやピンがカバーの表面に表出してしまう上に、カバーにだぶつきや撓み、皺が生じる場合があり外観上好ましくない。また、カバーに切り込みや孔が形成されることによって、それらの箇所から生地がほつれたり破れてしまう可能性があり、強度及び耐久性についても課題を残していた。
【０００５】
そこで上記の課題を解消すべく、椅子の美観を確保することが可能であり、なお且つ従来のものより強度及び耐久性にも優れた背カバーの取付構造を有する椅子及びこのような椅子に適用される背カバーを提供する。
【課題を解決するための手段】
【０００６】
すなわち、本発明は、椅子本体を構成する背もたれに背カバーを張り設けている椅子であって、この背カバーを、カバー本体とこのカバー本体の内側に取り付けられる板状体とから構成し、前記カバー本体が、クッション材を入れる空間を内部に形成する前カバー及び後カバーと、前記背もたれの上端部側に被せて収容可能な袋状の収容部とを備えたものであり、前記板状体が、前記収容部内に取り付けられるものであり、前記収容部が、下方にのみ開口するものであり、且つ背もたれの上端部側に被せた状態において、前記クッション材を入れる空間よりも後方に配されるものであることを特徴とする椅子である。
【０００７】
このように板状体を介在させて背カバーの収容部を背もたれの上端部側に被せるようにすれば、外側に表出するカバー本体には背もたれに固定するための孔や切り込み等を形成せずともよく、またピンなどを露出させないため、外観を良好なものとすることができるようになる。また、これら孔や切り込みに基づく破れや生地のほつれが生じることがなく、この点においても椅子の美観を保つことが可能となる。加えて、張り地の強度及び耐久性を確保することも可能である。さらに、カバー本体の収容部が内側に配置させた板状体によってバックアップされることになるため皺が生じることを好適に防ぎ、特に背もたれが凹凸形状をなすようなものであっても、その凹凸形状を板状体が吸収することになり、カバー本体にだぶつきや撓み、皺を生じさせることなく外観を良好なものとすることができる。なお、背もたれに張り設ける背カバーとは、主に布地等柔軟な素材によって構成され背もたれに取り付けられた状態で張り地面を形成するようなものであり、それ自体のみで張り地面を形成するようなものは含まない。
【０００８】
このようなものにおいて、板状体が、その幅方向に沿って前記収容部の開口近傍に縫製されたものであり、板状体の下端部を包むように背カバーを折り返した状態で縫製している場合は、開口端部分から布地が解れるのを防ぐことができる。
【０００９】
そして、前記背もたれに前記背カバーを被せた際に、前記板状体が前記背もたれの湾曲形状に沿って撓み変形し、前記カバー本体が板状体によってバックアップされるようにすれば、背もたれが湾曲していても板状体がその形状に対応し、カバーの皺を好適に防ぐことができる。
【００１０】
さらに、背カバーの収容部を形成している部分のだぶつきや皺を防止するためには、前記板状体を収容部の略全域に亘る大きさに設定すればよい。このようなものであれば、背もたれが後方に湾曲していても皺やだぶつきを防いでピンと張った状態で取付けられる。
【００１１】
好適な実施態様としては、前記背もたれの上端部に前記背カバーを取り付けた際に、前記板状体が前記背もたれの背面側に位置し、前記背もたれを挟んで前面側にクッション材が位置し、前記袋状部がこれらクッション材及び背もたれの上端部を被覆する態様が挙げられる。
【００１２】
また、背カバーに取り付けられる板状体としては、可撓性を有するものが望ましい。このようなものであれば、背もたれが湾曲又は屈曲した形状をなす場合、または背もたれが、湾曲又は屈曲するように変形する場合であっても好適に対応することができる。
【００１３】
また、板状体を接着剤やピンで取り付けるようにしてもよいが、できるだけ撓みを生じさせないように板状体を取り付けるためには、ミシン縫いや手縫い等の縫製によって取り付けることが望ましい。
【００１４】
また、本発明は、椅子本体の背もたれに取り付けられて張り地を形成する背カバーであって、カバー本体と、このカバー本体の内面に取り付けられた板状体とを備えてなり、前記カバー本体が、クッション材を入れる空間を内部に形成する前カバー及び後カバーと、前記背もたれの上端部側に被せて収容可能な袋状の収容部とを備えたものであり、前記板状体が、前記収容部内に取り付けられるものであり、前記収容部が、下方にのみ開口するものであり、且つ背もたれの上端部側に被せた状態において、前記クッション材を入れる空間よりも後方に配されるものである。
【発明の効果】
【００１５】
本発明は、以下に記載されるような効果を奏する。
【００１６】
すなわち、本発明は、背もたれの上端部に張り設けられる背カバーの収容部の内部に板状体を取り付けておき、この板状体を介在させて背カバーの収容部を背もたれの上端部側に被せるようにしたので、外側に表出するカバー本体には背もたれに固定するための孔や切り込み等を形成せずともよく、またピンなどを露出させることがないため、外観を良好なものとすることができる。また、これら孔や切り込みに基づく破れや生地のほつれが生じることがなく、この点においても椅子の美観を保つことが可能である。加えて、張り地の強度及び耐久性を確保することもできる。さらに、カバー本体が内側に配置させた板状体によってバックアップされることになるため皺が生じることを好適に防ぎ、特に背もたれが凹凸形状をなすようなものであっても、その凹凸形状を板状体が吸収することになり、カバー本体にだぶつきや撓み、皺を生じさせることなく外観を良好なものとすることができる。
【図面の簡単な説明】
【００１７】
【図１】本発明の一実施形態を適用した椅子を示す正面図。
【図２】同背面図。
【図３】同側面図
【図４】同平面図。
【図５】同椅子の使用方法を示す図。
【図６】本発明の一実施形態を示す分解斜視図。
【図７】図２におけるＸ−Ｘ線断面図。
【図８】図２におけるＹ−Ｙ線断面図。
【図９】同実施形態の変形例を示す断面図。
【発明を実施するための形態】
【００１８】
以下、本発明の一実施形態を、図面を参照して説明する。
【００１９】
図示した本実施形態の椅子Ａの椅子本体Ａ１は、キャスタ付きの脚羽根１１及び脚支柱１２からなる脚１と、この脚１に支持させた座２と、この座２の後方から起立する背もたれ３と、前記座２の側方から起立させた肘４とを備えてなり、さらに、本実施形態においては、前記背もたれ３に背広等の上着を掛けるためのハンガ部５を取り付けて構成している。
【００２０】
背もたれ３は、図３、４に示すように、後方に湾曲した形状をなし、通気や背もたれ３の弾性変形を助勢するため、またはデザイン性向上等の用途で前面３ａと背面３ｂとの間を厚み方向に貫通する孔３１を複数設けている。この孔３１は、少なくとも上下方向には同間隔で形成されている。
【００２１】
ハンガ部５は、パイプ材を折り曲げ成形して図５に示したような上着Ｗを掛けた掛着状態において上着Ｗの肩部分に当たる肩当たり部５１１及び垂下した袖部分５１２に当たる袖当たり部からなる肩支持部５１と、脇部分の上方に位置する脇当たり部５２と、この脇当たり部５２の下端に連続して前記肩支持部５１と脇当たり部５２から構成されるハンガ本体部を支持する脚部５３とを形成して構成したものである。そして、前記脇当たり部５２をその上端部から下端部に掛けて内側へ狭まるように形成して、当該椅子Ａの着座者Ｐが、起立した状態で上着Ｗを上方からスムーズに引き抜き易くしてある。また、このハンガ部５は、その脚部５３下端部近傍に取付具５４を一体的に取り付けて、この取付具５４を背もたれ３の背面３ｂに対して固定することで、ハンガ部５を背もたれ３に取り付けられるようにしてある。具体的には、図８に示すように、取付具５４に背もたれ３に形成されている前記孔３１の上下間隔に対応させて上下１対のネジ孔５４１を左右に計４つ形成するとともに、背もたれ３の孔３１の表面側から頭部付きのナットＮを取り付けて、このナットＮに対して前記孔５４１を挿通させたねじＶを締結するようにしている。
【００２２】
しかして、本実施形態においては、椅子本体Ａ１のうち少なくとも前記背もたれ３に本実施形態のカバーたる背カバーＣを取り付けて使用することができるようにしており、その背カバーＣを取付構造Ｔを利用して背もたれ３に取り付けている。具体的には、この取付構造Ｔは、背カバーＣを、カバー本体６とこのカバー本体６の内面に取り付けられる板状体７とから構成し、この板状体７を背もたれ３に固定するため固定手段Ｆとを設けて、前記板状体７を前記固定手段Ｆで背もたれ３に固定することで背カバーＣを背もたれ３に取り付けるようにしたものである。
【００２３】
背カバーＣの主体をなすカバー本体６は、図６に示すように、例えば布地などを縫い合わせることなどによって前カバー６１と後カバー６２とを連続させ下端側で開口する中空の袋状に形成するとともにこの中空部分にクッション材６３を詰めている。さらに、後カバー６２の上方側に幅方向に沿って開口６Ｋを形成し、この開口６Ｋから背もたれ３の上端部側に被せて収容できる部分袋状の収容部６Ｓを形成している。なお、この開口６Ｋを形成している位置は、背もたれ３の背面３ｂ側において、前記ハンガ部５を取り付けた部位を避けて上端部側のみに張り地が形成されるように後カバー６２の上方側に設定されている。しかして、収容部６Ｓは、図８に示すように、この開口６Ｋより上方に位置する前カバー６１と後カバー６２との間に形成されている。そして、このカバー本体６は、背もたれ３に対する装着状態において、前記開口６Ｋより上方側では、前カバー６１とクッション材６３とが背もたれ３の前面３ａ側に位置し、後カバー６２が背面３ｂ側に位置する。そして、開口６Ｋより下方側では、前カバー６１と後カバー６２とこれらの間に位置するクッション材６３とが背もたれ３の前面３ａ側に位置することになる。そして、前カバー６１が背もたれ３の前面３ａ側における張り地を形成するとともに、開口６Ｋより上方側の後カバー６２が背もたれ３の背面３ｂ側における張り地を形成することとなる。
【００２４】
板状体７は、樹脂など可撓性を有する素材によって平板状に成形されたもので、前記収容部６Ｓと上下幅寸法及び左右幅寸法を略一致させ、収容部内の略全域に亘る大きさに設定されている。また、縫製が可能な素材及び厚さ寸法のものを採用して、前記開口６Ｋの近傍位置において、カバー本体６に対して幅方向に沿って縫製することによって取り付けられている。そして、開口端部分から布地が解れるのを防ぐために、図８に示すようにこの板状体７の下端部を包むようにカバー本体６を折り返した状態で縫製（図中符号ｍで示している）している。なお、さらに左右両端部を上下方向に縫製するようにしてもよい。
【００２５】
一方、固定手段Ｆは、前記背もたれ３に形成された凹部たる前記孔３１を利用し、この孔３１に係合する軸部８１とこの軸部８１より大径に設定された頭部８２とを有するピンたるブッシュ８と、板状体７に形成したこのブッシュ８の軸部８１のみを貫通させる複数の孔７１とから構成している。この孔７１が、背もたれ３に対する取付部として機能することとなり、すなわち、請求項１３記載の取付部は、この孔７１に相当する。このブッシュ８としては、その軸部８１を孔７１に通して孔３１に係合させた状態で板状体７と略面一となるような薄い厚み幅寸法を有する頭部８２を有するものを使用している。また、孔７１は、板状体７において前記背もたれ３に形成された複数の孔３１のうち開口６Ｋ近傍に設けられている孔３１に対応する位置に形成されており、図示例のものでは、幅方向に４つ設けられている。また、図６，７に示すようにこの孔７１は背もたれ３の湾曲方向に長くなる形状をなすように形成されている。
【００２６】
次に、このような構成の取付構造Ｔによって、この背カバーＣを背もたれ３に取り付ける場合について説明する。
【００２７】
まず、カバー本体６の収容部６Ｓ内に背もたれ３を、その上端部が当該収容部６Ｓの上端部に当たる位置まで挿入していく。この状態で、前カバー６１を、その下端部分に取り付けた図示しない取付線部材を、背もたれ３と座２との境界分部であって座２の上端面より低く正面視では視認されない位置に設けた図示しない複数の係合部に嵌め込むことで固定する。次に、カバー本体６の収容部６Ｓ内に手を差し込んで、取り付けてある板状体７の孔７１それぞれにブッシュ８を挿入する。そして、ブッシュ８の頭部８２を背もたれ３の背面３ｂ側に位置させるようにし、軸部８１を背もたれ３に形成されている孔３１に嵌め込んで係合させる。この際、孔７１が背もたれ３の湾曲方向に長い形状をなしているため、ブッシュ８の軸部８１を孔７１内で湾曲方向に若干遊動させることができ、すなわち軸部８１の位置調整をしてスムーズに孔３１に係合させることができる。
【００２８】
以上詳述したように、本実施形態の椅子Ａは、背カバーＣを取付構造Ｔによって取り付けるようにしているので、外側に表出するカバー本体６に背もたれ３に従来のように固定するための孔や切り込み等を形成せずともよく、またピンなどを露出させないため、外観を良好なものとすることができる。また、それら孔や切り込みに基づく破れや生地のほつれを生じることもなく、この点においても椅子の美観を保つことになる。加えて、背もたれ３の張り地を形成するカバー本体６の強度及び耐久性を確保することも可能である。
【００２９】
また、カバー本体６が、収容部６Ｓにおいてその内側に配置させた板状体７によってバックアップされることになるため、背もたれ３が後方に湾曲する形状をなしているにもかかわらず、皺やだぶつきを防いでピンと張った状態で取り付けることができる。特に本実施形態では、板状体７を、収容部６Ｓの略全域に亘る大きさに設定しているので、その効果が大きい。さらに、図９に示すように、一部分だけ凹んだ形状をなすような背もたれ３'に対して取り付ける場合であっても、その凹形状を覆うように板状体７が配置されることになるため、カバー本体６にだぶつきや撓み、皺を生じさせることなく外観を良好なものとすることができる。これは、連続的に凹凸をなすような形状の背もたれであっても同様の効果を奏する。なお、図９において、上述のものと同様の構成のものには、特に詳述することなく同じ符号を付し、また背もたれ３'に関する構成には「'」を付している。
【００３０】
また、本実施形態の背カバーＣは、収容部６Ｓ内に背もたれ３の上端部を収容するようにして取り付けるタイプであり、本来浮き上がりやだぶつき等が生じ易いものであるため、本実施形態の取付構造Ｔの効果は特に有効である。
【００３１】
板状体７を、可撓性を有する素材から構成しているので、本実施の形態のように湾曲した形状をなす背もたれ３に対して対応させて固定することができる。
【００３２】
板状体７を、カバー本体６に対して縫製で取り付けているので、ピンや接着剤等で取り付ける場合と比較すると、カバー本体６がピンと張った状態となり皺がより難く、さらに耐久性においても優れている。
【００３３】
また、板状体７に固定手段Ｆを構成する孔７１を開口６Ｋ近傍に形成して板状体７と背もたれ３とを開口６Ｋ近傍で固定するようにし、なお且つ板状体７と背カバーＣとを開口６Ｋ近傍において縫製しているため、撓みやだぶつきが生じやすい箇所である開口６Ｋ付近において、その美観を保つことができる。
【００３４】
固定手段Ｆを板状体７とは別体のブッシュ８によって背もたれ３に固定するように構成しているので、板状体７には孔７１を形成するだけでよく、製作を簡単化できる。
【００３５】
また、このブッシュ８として、係合状態においてその頭部８２が板状体と略一体をなす程度に薄いものを採用しているため、背もたれ３の背面３ｂ側おいてに、後カバーを通してブッシュの形状が表れず、美観を保つことができる。
【００３６】
背カバーＣを、背もたれ３に通気や弾性助勢のため、またはデザイン性向上の用途で形成された孔３１を利用して固定するようにしている上に、本実施形態においてはハンガ部５もこの孔３１を利用して取り付けるようにして、機能を兼用させることで製作の利便性を図ることができる。
【００３７】
また、本実施形態のようにハンガ部５を備えた椅子Ａにおいて、背カバーＣを、背もたれ３のこのハンガ部５を取り付ける部位を避けて、それよりも上部の領域に取り付けているので、背カバーＣには、ハンガ部５を取り付けるための加工を施さずともよく、製作の利便性を向上させる上に、背カバーＣの耐久性の確保及び椅子Ａの美観の確保にもなる。さらに、椅子本体Ａ１からハンガ部５を外さなくとも背カバーＣを交換することができる。
【００３８】
本発明は、上記実施形態に限られない。
【００３９】
例えば、板状体が、複数枚取り付けられるようなものであってもよい。
【００４０】
背カバーが、背もたれの略全体を収容する収容部を備えて、背もたれに対して被せるように取り付けられ前面及び背面に全面的に張り地を形成するようなものであってもよい。
【００４１】
また、特に椅子の形状は上記実施形態のものに限らず、特にハンガ部を備えていないものであってもよいのは、勿論である。
【００４２】
その他、各部の具体的構成についても上記実施形態に限られるものではなく、本発明の趣旨を逸脱しない範囲で種々変形が可能である。
【符号の説明】
【００４３】
３、３'・・・背もたれ
６・・・カバー本体
６Ｋ・・・開口
６Ｓ・・・収容部
７・・・板状体
Ａ・・・椅子
Ａ１・・・椅子本体
Ｃ・・・背カバー
【図１】
2010110637.tif 000003
【図２】
2010110637.tif 000004
【図３】
2010110637.tif 000005
【図４】
2010110637.tif 000006
【図５】
2010110637.tif 000007
【図６】
2010110637.tif 000008
【図７】
2010110637.tif 000009
【図８】
2010110637.tif 000010
【図９】
2010110637.tif 000011
【手続補正書】
【提出日】平成22年1月22日(2010.1.22)
【手続補正１】
【補正対象書類名】明細書
【補正対象項目名】全文
【補正方法】変更
【補正の内容】
【発明の詳細な説明】
【技術分野】
【０００１】
本発明は、椅子本体の背もたれに背カバーを張り設けている椅子及び椅子の背カバーに関するものである。
【背景技術】
【０００２】
従来、椅子の背もたれには、着座時の接触感を向上させるとともに背もたれを被覆して外観を整えるために、張り地を形成するカバーを装着する場合が少なくない。
【０００３】
そして、このカバーを取り付ける手法としては、従来より背カバーを直接背もたれに対してタッカ止めしたり、背カバーに孔等を設けてこの孔に通したピンを背もたれに形成した孔に対して止めるようなものがよく知られている。
【発明の概要】
【発明が解決しようとする課題】
【０００４】
しかしながら、このようなものであると、タッカやピンがカバーの表面に表出してしまう上に、カバーにだぶつきや撓み、皺が生じる場合があり外観上好ましくない。また、カバーに切り込みや孔が形成されることによって、それらの箇所から生地がほつれたり破れてしまう可能性があり、強度及び耐久性についても課題を残していた。
【０００５】
そこで上記の課題を解消すべく、椅子の美観を確保することが可能であり、なお且つ従来のものより強度及び耐久性にも優れた背カバーの取付構造を有する椅子及びこのような椅子に適用される背カバーを提供する。
【課題を解決するための手段】
【０００６】
すなわち、本発明は、後方に湾曲した形状をなす背もたれに背カバーを張り設けるようにした椅子であって、前記背カバーが、カバー本体と当該カバー本体の内側に取り付けられる板状体とを備えたものであり、前記カバー本体が、クッション材を入れる空間を内部に形成する前カバー及び後カバーと、前記背もたれの上端部側に被せて収容可能な袋状の収容部とを備えたものであり、前記収容部が、下方にのみ開口するものであり、前記背もたれの上端部に前記背カバーを取り付けた際に、前記板状体が前記背もたれの背面側に位置し、前記背もたれを挟んで前面側にクッション材が位置するものであり、前記板状体が、樹脂など可撓性を有する素材によって平板状に成形されたもので、前記収容部内に取り付けられ、前記背もたれに前記背カバーを被せた際に、前記板状体が前記背もたれの湾曲形状に沿って撓み変形することを特徴とする椅子である。
【０００７】
このように板状体を介在させて背カバーの収容部を背もたれの上端部側に被せるようにすれば、外側に表出するカバー本体には背もたれに固定するための孔や切り込み等を形成せずともよく、またピンなどを露出させないため、外観を良好なものとすることができるようになる。また、これら孔や切り込みに基づく破れや生地のほつれが生じることがなく、この点においても椅子の美観を保つことが可能となる。加えて、張り地の強度及び耐久性を確保することも可能である。さらに、カバー本体の収容部が内側に配置させた板状体によってバックアップされることになるため皺が生じることを好適に防ぎ、特に背もたれが凹凸形状をなすようなものであっても、その凹凸形状を板状体が吸収することになり、カバー本体にだぶつきや撓み、皺を生じさせることなく外観を良好なものとすることができる。なお、背もたれに張り設ける背カバーとは、主に布地等柔軟な素材によって構成され背もたれに取り付けられた状態で張り地面を形成するようなものであり、それ自体のみで張り地面を形成するようなものは含まない。
【０００８】
このようなものにおいて、板状体が、その幅方向に沿って前記収容部の開口近傍に縫製されたものであり、板状体の下端部を包むように背カバーを折り返した状態で縫製している場合は、開口端部分から布地が解れるのを防ぐことができる。
【０００９】
そして、前記背もたれに前記背カバーを被せた際に、前記板状体が前記背もたれの湾曲形状に沿って撓み変形し、前記カバー本体が板状体によってバックアップされるようにすれば、背もたれが湾曲していても板状体がその形状に対応し、カバーの皺を好適に防ぐことができる。
【００１０】
さらに、背カバーの収容部を形成している部分のだぶつきや皺を防止するためには、前記板状体を収容部の略全域に亘る大きさに設定すればよい。このようなものであれば、背もたれが後方に湾曲していても皺やだぶつきを防いでピンと張った状態で取付けられる。
【００１１】
好適な実施態様としては、前記背もたれに前記背カバーを被せた際に、背もたれの上端部が当該収容部の上端部の布地に当たる位置まで挿入されるものが挙げられる。
【００１２】
また、背カバーに取り付けられる板状体としては、本発明のように、可撓性を有するものが望ましい。このようなものであれば、背もたれが湾曲又は屈曲した形状をなす場合、または背もたれが、湾曲又は屈曲するように変形する場合であっても好適に対応することができる。
【００１３】
また、板状体を接着剤やピンで取り付けるようにしてもよいが、できるだけ撓みを生じさせないように板状体を取り付けるためには、ミシン縫いや手縫い等の縫製によって取り付けることが望ましい。
【００１４】
また、本発明は、請求項１〜４のいずれかに適用される椅子の背カバーであって、カバー本体と、このカバー本体の内面に取り付けられた板状体とを備えてなり、前記カバー本体が、クッション材を入れる空間を内部に形成する前カバー及び後カバーと、前記背もたれの上端部側に被せて収容可能な袋状の収容部とを備えたものであり、前記収容部が、下方にのみ開口するものであり、前記背もたれの上端部に前記背カバーを取り付けた際に、前記板状体が前記背もたれの背面側に位置し、前記背もたれを挟んで前面側にクッション材が位置するものであり、前記板状体が、樹脂など可撓性を有する素材によって平板状に成形されたもので、前記収容部内に取り付けられ、前記背もたれに前記背カバーを被せた際に、前記板状体が前記背もたれの湾曲形状に沿って撓み変形するものである。
【発明の効果】
【００１５】
本発明は、以下に記載されるような効果を奏する。
【００１６】
すなわち、本発明は、背もたれの上端部に張り設けられる背カバーの収容部の内部に板状体を取り付けておき、この板状体を介在させて背カバーの収容部を背もたれの上端部側に被せるようにしたので、外側に表出するカバー本体には背もたれに固定するための孔や切り込み等を形成せずともよく、またピンなどを露出させることがないため、外観を良好なものとすることができる。また、これら孔や切り込みに基づく破れや生地のほつれが生じることがなく、この点においても椅子の美観を保つことが可能である。加えて、張り地の強度及び耐久性を確保することもできる。さらに、カバー本体が内側に配置させた板状体によってバックアップされることになるため皺が生じることを好適に防ぎ、特に背もたれが凹凸形状をなすようなものであっても、その凹凸形状を板状体が吸収することになり、カバー本体にだぶつきや撓み、皺を生じさせることなく外観を良好なものとすることができる。
【図面の簡単な説明】
【００１７】
【図１】本発明の一実施形態を適用した椅子を示す正面図。
【図２】同背面図。
【図３】同側面図。
【図４】同平面図。
【図５】同椅子の使用方法を示す図。
【図６】本発明の一実施形態を示す分解斜視図。
【図７】図２におけるＸ−Ｘ線断面図。
【図８】図２におけるＹ−Ｙ線断面図。
【図９】同実施形態の変形例を示す断面図。
【発明を実施するための形態】
【００１８】
以下、本発明の一実施形態を、図面を参照して説明する。
【００１９】
図示した本実施形態の椅子Ａの椅子本体Ａ１は、キャスタ付きの脚羽根１１及び脚支柱１２からなる脚１と、この脚１に支持させた座２と、この座２の後方から起立する背もたれ３と、前記座２の側方から起立させた肘４とを備えてなり、さらに、本実施形態においては、前記背もたれ３に背広等の上着を掛けるためのハンガ部５を取り付けて構成している。
【００２０】
背もたれ３は、図３、４に示すように、後方に湾曲した形状をなし、通気や背もたれ３の弾性変形を助勢するため、またはデザイン性向上等の用途で前面３ａと背面３ｂとの間を厚み方向に貫通する孔３１を複数設けている。この孔３１は、少なくとも上下方向には同間隔で形成されている。
【００２１】
ハンガ部５は、パイプ材を折り曲げ成形して図５に示したような上着Ｗを掛けた掛着状態において上着Ｗの肩部分に当たる肩当たり部５１１及び垂下した袖部分５１２に当たる袖当たり部からなる肩支持部５１と、脇部分の上方に位置する脇当たり部５２と、この脇当たり部５２の下端に連続して前記肩支持部５１と脇当たり部５２から構成されるハンガ本体部を支持する脚部５３とを形成して構成したものである。そして、前記脇当たり部５２をその上端部から下端部に掛けて内側へ狭まるように形成して、当該椅子Ａの着座者Ｐが、起立した状態で上着Ｗを上方からスムーズに引き抜き易くしてある。また、このハンガ部５は、その脚部５３下端部近傍に取付具５４を一体的に取り付けて、この取付具５４を背もたれ３の背面３ｂに対して固定することで、ハンガ部５を背もたれ３に取り付けられるようにしてある。具体的には、図８に示すように、取付具５４に背もたれ３に形成されている前記孔３１の上下間隔に対応させて上下１対のネジ孔５４１を左右に計４つ形成するとともに、背もたれ３の孔３１の表面側から頭部付きのナットＮを取り付けて、このナットＮに対して前記孔５４１を挿通させたねじＶを締結するようにしている。
【００２２】
しかして、本実施形態においては、椅子本体Ａ１のうち少なくとも前記背もたれ３に本実施形態のカバーたる背カバーＣを取り付けて使用することができるようにしており、その背カバーＣを取付構造Ｔを利用して背もたれ３に取り付けている。具体的には、この取付構造Ｔは、背カバーＣを、カバー本体６とこのカバー本体６の内面に取り付けられる板状体７とから構成し、この板状体７を背もたれ３に固定するため固定手段Ｆとを設けて、前記板状体７を前記固定手段Ｆで背もたれ３に固定することで背カバーＣを背もたれ３に取り付けるようにしたものである。
【００２３】
背カバーＣの主体をなすカバー本体６は、図６に示すように、例えば布地などを縫い合わせることなどによって前カバー６１と後カバー６２とを連続させ下端側で開口する中空の袋状に形成するとともにこの中空部分にクッション材６３を詰めている。さらに、後カバー６２の上方側に幅方向に沿って開口６Ｋを形成し、この開口６Ｋから背もたれ３の上端部側に被せて収容できる部分袋状の収容部６Ｓを形成している。なお、この開口６Ｋを形成している位置は、背もたれ３の背面３ｂ側において、前記ハンガ部５を取り付けた部位を避けて上端部側のみに張り地が形成されるように後カバー６２の上方側に設定されている。しかして、収容部６Ｓは、図８に示すように、この開口６Ｋより上方に位置する前カバー６１と後カバー６２との間に形成されている。そして、このカバー本体６は、背もたれ３に対する装着状態において、前記開口６Ｋより上方側では、前カバー６１とクッション材６３とが背もたれ３の前面３ａ側に位置し、後カバー６２が背面３ｂ側に位置する。そして、開口６Ｋより下方側では、前カバー６１と後カバー６２とこれらの間に位置するクッション材６３とが背もたれ３の前面３ａ側に位置することになる。そして、前カバー６１が背もたれ３の前面３ａ側における張り地を形成するとともに、開口６Ｋより上方側の後カバー６２が背もたれ３の背面３ｂ側における張り地を形成することとなる。
【００２４】
板状体７は、樹脂など可撓性を有する素材によって平板状に成形されたもので、前記収容部６Ｓと上下幅寸法及び左右幅寸法を略一致させ、収容部内の略全域に亘る大きさに設定されている。また、縫製が可能な素材及び厚さ寸法のものを採用して、前記開口６Ｋの近傍位置において、カバー本体６に対して幅方向に沿って縫製することによって取り付けられている。そして、開口端部分から布地が解れるのを防ぐために、図８に示すようにこの板状体７の下端部を包むようにカバー本体６を折り返した状態で縫製（図中符号ｍで示している）している。なお、さらに左右両端部を上下方向に縫製するようにしてもよい。
【００２５】
一方、固定手段Ｆは、前記背もたれ３に形成された凹部たる前記孔３１を利用し、この孔３１に係合する軸部８１とこの軸部８１より大径に設定された頭部８２とを有するピンたるブッシュ８と、板状体７に形成したこのブッシュ８の軸部８１のみを貫通させる複数の孔７１とから構成している。この孔７１が、背もたれ３に対する取付部として機能することとなり、すなわち、請求項１３記載の取付部は、この孔７１に相当する。このブッシュ８としては、その軸部８１を孔７１に通して孔３１に係合させた状態で板状体７と略面一となるような薄い厚み幅寸法を有する頭部８２を有するものを使用している。また、孔７１は、板状体７において前記背もたれ３に形成された複数の孔３１のうち開口６Ｋ近傍に設けられている孔３１に対応する位置に形成されており、図示例のものでは、幅方向に４つ設けられている。また、図６，７に示すようにこの孔７１は背もたれ３の湾曲方向に長くなる形状をなすように形成されている。
【００２６】
次に、このような構成の取付構造Ｔによって、この背カバーＣを背もたれ３に取り付ける場合について説明する。
【００２７】
まず、カバー本体６の収容部６Ｓ内に背もたれ３を、その上端部が当該収容部６Ｓの上端部に当たる位置まで挿入していく。この状態で、前カバー６１を、その下端部分に取り付けた図示しない取付線部材を、背もたれ３と座２との境界分部であって座２の上端面より低く正面視では視認されない位置に設けた図示しない複数の係合部に嵌め込むことで固定する。次に、カバー本体６の収容部６Ｓ内に手を差し込んで、取り付けてある板状体７の孔７１それぞれにブッシュ８を挿入する。そして、ブッシュ８の頭部８２を背もたれ３の背面３ｂ側に位置させるようにし、軸部８１を背もたれ３に形成されている孔３１に嵌め込んで係合させる。この際、孔７１が背もたれ３の湾曲方向に長い形状をなしているため、ブッシュ８の軸部８１を孔７１内で湾曲方向に若干遊動させることができ、すなわち軸部８１の位置調整をしてスムーズに孔３１に係合させることができる。
【００２８】
以上詳述したように、本実施形態の椅子Ａは、背カバーＣを取付構造Ｔによって取り付けるようにしているので、外側に表出するカバー本体６に背もたれ３に従来のように固定するための孔や切り込み等を形成せずともよく、またピンなどを露出させないため、外観を良好なものとすることができる。また、それら孔や切り込みに基づく破れや生地のほつれを生じることもなく、この点においても椅子の美観を保つことになる。加えて、背もたれ３の張り地を形成するカバー本体６の強度及び耐久性を確保することも可能である。
【００２９】
また、カバー本体６が、収容部６Ｓにおいてその内側に配置させた板状体７によってバックアップされることになるため、背もたれ３が後方に湾曲する形状をなしているにもかかわらず、皺やだぶつきを防いでピンと張った状態で取り付けることができる。特に本実施形態では、板状体７を、収容部６Ｓの略全域に亘る大きさに設定しているので、その効果が大きい。さらに、図９に示すように、一部分だけ凹んだ形状をなすような背もたれ３’に対して取り付ける場合であっても、その凹形状を覆うように板状体７が配置されることになるため、カバー本体６にだぶつきや撓み、皺を生じさせることなく外観を良好なものとすることができる。これは、連続的に凹凸をなすような形状の背もたれであっても同様の効果を奏する。なお、図９において、上述のものと同様の構成のものには、特に詳述することなく同じ符号を付し、また背もたれ３’に関する構成には「’」を付している。
【００３０】
また、本実施形態の背カバーＣは、収容部６Ｓ内に背もたれ３の上端部を収容するようにして取り付けるタイプであり、本来浮き上がりやだぶつき等が生じ易いものであるため、本実施形態の取付構造Ｔの効果は特に有効である。
【００３１】
板状体７を、可撓性を有する素材から構成しているので、本実施の形態のように湾曲した形状をなす背もたれ３に対して対応させて固定することができる。
【００３２】
板状体７を、カバー本体６に対して縫製で取り付けているので、ピンや接着剤等で取り付ける場合と比較すると、カバー本体６がピンと張った状態となり皺がより難く、さらに耐久性においても優れている。
【００３３】
また、板状体７に固定手段Ｆを構成する孔７１を開口６Ｋ近傍に形成して板状体７と背もたれ３とを開口６Ｋ近傍で固定するようにし、なお且つ板状体７と背カバーＣとを開口６Ｋ近傍において縫製しているため、撓みやだぶつきが生じやすい箇所である開口６Ｋ付近において、その美観を保つことができる。
【００３４】
固定手段Ｆを板状体７とは別体のブッシュ８によって背もたれ３に固定するように構成しているので、板状体７には孔７１を形成するだけでよく、製作を簡単化できる。
【００３５】
また、このブッシュ８として、係合状態においてその頭部８２が板状体と略一体をなす程度に薄いものを採用しているため、背もたれ３の背面３ｂ側おいてに、後カバーを通してブッシュの形状が表れず、美観を保つことができる。
【００３６】
背カバーＣを、背もたれ３に通気や弾性助勢のため、またはデザイン性向上の用途で形成された孔３１を利用して固定するようにしている上に、本実施形態においてはハンガ部５もこの孔３１を利用して取り付けるようにして、機能を兼用させることで製作の利便性を図ることができる。
【００３７】
また、本実施形態のようにハンガ部５を備えた椅子Ａにおいて、背カバーＣを、背もたれ３のこのハンガ部５を取り付ける部位を避けて、それよりも上部の領域に取り付けているので、背カバーＣには、ハンガ部５を取り付けるための加工を施さずともよく、製作の利便性を向上させる上に、背カバーＣの耐久性の確保及び椅子Ａの美観の確保にもなる。さらに、椅子本体Ａ１からハンガ部５を外さなくとも背カバーＣを交換することができる。
【００３８】
本発明は、上記実施形態に限られない。
【００３９】
例えば、板状体が、複数枚取り付けられるようなものであってもよい。
【００４０】
【００４１】
また、特に椅子の形状は上記実施形態のものに限らず、特にハンガ部を備えていないものであってもよいのは、勿論である。
【００４２】
その他、各部の具体的構成についても上記実施形態に限られるものではなく、本発明の趣旨を逸脱しない範囲で種々変形が可能である。
【符号の説明】
【００４３】
３、３’・・・背もたれ
６・・・カバー本体
６Ｋ・・・開口
６Ｓ・・・収容部
７・・・板状体
Ａ・・・椅子
Ａ１・・・椅子本体
Ｃ・・・背カバー
【手続補正２】
【補正対象書類名】特許請求の範囲
【補正対象項目名】全文
【補正方法】変更
【補正の内容】
【特許請求の範囲】
【請求項１】
後方に湾曲した形状をなす背もたれに背カバーを張り設けるようにした椅子であって、
前記背カバーが、カバー本体と当該カバー本体の内側に取り付けられる板状体とを備えたものであり、
前記カバー本体が、クッション材を入れる空間を内部に形成する前カバー及び後カバーと、前記背もたれの上端部側に被せて収容可能な袋状の収容部とを備えたものであり、
前記収容部が、下方にのみ開口するものであり、前記背もたれの上端部に前記背カバーを取り付けた際に、前記板状体が前記背もたれの背面側に位置し、前記背もたれを挟んで前面側にクッション材が位置するものであり、
前記板状体が、樹脂など可撓性を有する素材によって平板状に成形されたもので、前記収容部内に取り付けられ、
前記背もたれに前記背カバーを被せた際に、前記板状体が前記背もたれの湾曲形状に沿って撓み変形することを特徴とする椅子。
【請求項２】
前記板状体が、その幅方向に沿って前記収容部の開口近傍に縫製されたものであり、
板状体の下端部を包むように背カバーを折り返した状態で縫製している請求項１記載の椅子。
【請求項３】
前記背もたれに前記背カバーを被せた際に、前記板状体が前記背もたれの湾曲形状に沿って撓み変形し、前記カバー本体が板状体によってバックアップされる請求項１又は２記載の椅子。
【請求項４】
前記背もたれに前記背カバーを被せた際に、背もたれの上端部が当該収容部の上端部の布地に当たる位置まで挿入される請求項１、２又は３記載の椅子。
【請求項５】
請求項１〜４のいずれかに適用される椅子の背カバーであって、
カバー本体と、このカバー本体の内面に取り付けられた板状体とを備えてなり、
前記カバー本体が、クッション材を入れる空間を内部に形成する前カバー及び後カバーと、前記背もたれの上端部側に被せて収容可能な袋状の収容部とを備えたものであり、
前記収容部が、下方にのみ開口するものであり、前記背もたれの上端部に前記背カバーを取り付けた際に、前記板状体が前記背もたれの背面側に位置し、前記背もたれを挟んで前面側にクッション材が位置するものであり、
前記板状体が、樹脂など可撓性を有する素材によって平板状に成形されたもので、前記収容部内に取り付けられ、
前記背もたれに前記背カバーを被せた際に、前記板状体が前記背もたれの湾曲形状に沿って撓み変形することを特徴とする背カバー。